(57)【要約】【課題】横向き寝を継続させて無呼吸を低減させることができる横向き寝用枕を提供する。【解決手段】一実施形態に係る横向き寝用枕１は、使用者Ｍの頭部Ｍ１及び頸部Ｍ２が載せられる第１部分２と、使用者Ｍの背中Ｍ３が当てられる第２部分３と、を備え、第１部分２は、第１方向に延びており、第２部分３は、第１部分２の当該第１方向の端部から、当該第１方向に交差する第２方向に延びており、第２部分３の第２方向の長さは、第１部分２の第１方向の長さよりも長く、第１部分２の内部空間、及び第２部分３の内部空間は、仕切部６を介して互いに仕切られており、第２部分３の硬度が第１部分２の硬度よりも高く、且つ、第２部分３の重量が第１部分２の重量よりも大きい。【選択図】図６
2020054574.tif 000002
【特許請求の範囲】
【請求項１】
使用者の頭部及び頸部が載せられる第１部分と、
前記使用者の背中が当てられる第２部分と、
を備え、
前記第１部分は、第１方向に延びており、
前記第２部分は、前記第１部分の前記第１方向の端部から、前記第１方向に交差する第２方向に延びており、
前記第２部分の前記第２方向の長さは、前記第１部分の前記第１方向の長さよりも長く、
前記第１部分の内部空間、及び前記第２部分の内部空間は、仕切部を介して互いに仕切られており、
前記第２部分の硬度が前記第１部分の硬度よりも高く、且つ、
前記第２部分の重量が前記第１部分の重量よりも大きい、
横向き寝用枕。
【請求項２】
前記第１部分及び前記第２部分は、Ｌ字状とされており、
前記仕切部は、前記Ｌ字の内側の角部から前記Ｌ字の外側の角部まで延びている、
請求項１に記載の横向き寝用枕。
【請求項３】
前記第１部分の内部空間には第１内容物が出し入れ可能とされており、
前記第２部分の内部空間には第２内容物が出し入れ可能とされており、
前記第２内容物の硬度が前記第１内容物の硬度よりも高い、
請求項１又は２に記載の横向き寝用枕。
【請求項４】
前記第２内容物は、ヒノキ製、アズキ製又はポリエチレン製の粒状体である、
請求項３に記載の横向き寝用枕。
【発明の詳細な説明】
【技術分野】
【０００１】
本開示は、使用者の身体が載せられる横向き寝用枕に関する。
【背景技術】
【０００２】
使用者の横向き寝に対応する枕については従来から種々のものが知られている。実用新案登録第３１１１４５８号公報には、横向きの姿勢で寝る場合に対応する横寝姿勢対応枕が記載されている。横寝姿勢対応枕は、後頭部を支持する後頭部対応部と、後頭部対応部に連続すると共に側頭部を支持する側頭部支持部とを備える。後頭部対応部と側頭部対応部とは互いに異なる形状とされている。
【０００３】
側頭部対応部の高さは後頭部対応部の高さよりも高く、側頭部対応部が長方形に近い形状とされているのに対し、後頭部対応部は側頭部対応部から長く延び出す形状とされている。平面視において、後頭部対応部は、長方形状を成す側頭部対応部の１つの角から斜めに延びている。また、側頭部対応部の頂部には僅かに窪む耳対応部が形成されている。更に、側頭部対応部の寸法は使用者の肩幅寸法と略同じ寸法とされている。
【先行技術文献】
【特許文献】
【０００４】
【特許文献１】実用新案登録第３１１１４５８号公報
【発明の概要】
【発明が解決しようとする課題】
【０００５】
前述した横寝姿勢対応枕は、側頭部対応部と後頭部対応部とを備えるため、横向き寝をする使用者の頭部を支えることは可能である。ところで、特に近年、無呼吸症候群が問題視されており、無呼吸の症状を抑えるための種々の提案がなされている。その一つとして横向き寝が挙げられており、横向き寝をする場合には無呼吸の時間が低減されることが知られている。
【０００６】
前述した横寝姿勢対応枕は、横向き寝に対応した枕ではあるものの、使用者に横向き寝を継続させることはできない。すなわち、上記の横寝姿勢対応枕は、側頭部対応部を備えるため使用者の側頭部を支えることは可能であるものの、横向き寝を行う使用者の身体の全体を支えるものとはされていない。従って、使用者が横向き寝をしたとしても、使用者が寝返りを打てば仰向きとなってしまうため、無呼吸の時間を十分に低減させることはできない。よって、横向き寝を継続させて無呼吸をより低減させることができることが求められている。
【０００７】
本開示は、横向き寝を継続させて無呼吸を低減させることができる横向き寝用枕を提供することを目的とする。
【課題を解決するための手段】
【０００８】
本開示の一側面に係る横向き寝用枕は、使用者の頭部及び頸部が載せられる第１部分と、使用者の背中が当てられる第２部分と、を備え、第１部分は、第１方向に延びており、第２部分は、第１部分の第１方向の端部から、第１方向に交差する第２方向に延びており、第２部分の第２方向の長さは、第１部分の第１方向の長さよりも長く、第１部分の内部空間、及び第２部分の内部空間は、仕切部を介して互いに仕切られており、第２部分の硬度が第１部分の硬度よりも高く、且つ、第２部分の重量が第１部分の重量よりも大きい。
【０００９】
この横向き寝用枕では、第１方向に延びる第１部分が横向き寝とされた使用者の頭部及び頸部を支え、第１方向に交差する第２方向に延びる第２部分が使用者の背中を支える。従って、頭部及び頸部を支持する第１部分とは異なる方向に延びる第２部分で背中を支持するため、横向き寝をした使用者の背中を第２部分でしっかりと支えることができる。また、第２方向に延びる第２部分の長さが第１方向に延びる第１部分の長さよりも長いことにより、第２部分の体積を大きくすることができるため、第２部分による背中の支持をよりしっかりと行って仰向けになることを抑制することができる。従って、横向き寝をより確実に継続させることができる。更に、第２部分の硬さは第１部分の硬さよりも硬く、且つ第２部分の重量は第１部分の重量よりも大きい。従って、比較的軽くて柔らかい第１部分で頭部及び頸部を支えることによって使用者の寝心地を良好にすることができると共に、重くて硬い第２部分で背中を支えることにより、仰向けになることをより確実に抑制することができる。従って、寝心地を良好にすることができると共に横向き寝を継続させることができるので、無呼吸を抑制することができる。
【００１０】
前述した第１部分及び第２部分は、Ｌ字状とされており、仕切部は、Ｌ字の内側の角部からＬ字の外側の角部まで延びていてもよい。この場合、第２部分と第１部分との境目である仕切部が第１方向及び第２方向の双方に対して斜めに延びるので、使用者の背中を支える第２部分の領域を拡大することができる。従って、仰向けをより確実に抑制して横向き寝を継続させることができるので、無呼吸をより確実に抑えることができる。
【００１１】
第１部分の内部空間には第１内容物が出し入れ可能とされており、第２部分の内部空間には第２内容物が出し入れ可能とされており、第２内容物の硬度が第１内容物の硬度よりも高くてもよい。この場合、第２内容物の硬度が第１内容物の硬度よりも高いことにより、第２内容物の量を調整して第２部分の硬さ及び重量を変更することができる。従って、第２部分が硬すぎる又は重すぎると感じた場合には第２内容物の量を減らして第２部分を柔らかく且つ軽くすることができると共に、第２部分が柔らかすぎる又は軽すぎると感じた場合には第２内容物の量を増やして第２部分を更に硬く且つ重くすることができる。また、第１内容物が第１部分に出し入れ可能とされていることにより、第１部分の感触を調整することができる。従って、使用者の好み、及び使用者の状況に応じた横向き寝用枕を提供することができる。
【００１２】
第２内容物は、ヒノキ製、アズキ製又はポリエチレン製の粒状体であってもよい。ヒノキ及びアズキは、他の内容物と比較して重量が大きく且つ硬度及び密度が高い。従って、第２内容物としてヒノキを第２部分に収容することにより、少量の第２内容物で硬い第２部分とすることができる。その結果、第２部分の硬さの調整を更に容易に行うことができる。また、ポリエチレン製の粒状体は、汎用性が高く入手しやすいという利点がある。
【発明の効果】
【００１３】
本発明によれば、横向き寝を継続させて無呼吸を低減させることができる。
【図面の簡単な説明】
【００１４】
【図１】図１は、第１実施形態に係る横向き寝用枕を示す斜視図である。
【図２】図２は、図１の横向き寝用枕を図１とは異なる方向から見た斜視図である。
【図３】図３は、図１の横向き寝用枕を図１及び図２とは異なる方向から見た斜視図である。
【図４】図４（ａ）は、図１の横向き寝用枕の内部に収容される第２内容物の例を示す斜視図である。図４（ｂ）は、図４（ａ）とは異なる第２内容物の例を示す斜視図である。
【図５】図５は、図１の横向き寝用枕の第２部分のファスナーを開放した状態の例を示す斜視図である。
【図６】図６（ａ）は、図１の横向き寝用枕の使用例を示す斜視図である。図６（ｂ）は、図６（ａ）とは異なる横向き寝用枕の使用例を示す斜視図である。
【図７】図７は、第２実施形態に係る横向き寝用枕を示す斜視図である。
【発明を実施するための形態】
【００１５】
以下、図面を参照しながら本開示に係る横向き寝用枕の実施形態について説明する。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００１６】
（第１実施形態）
図１は、本実施形態に係る横向き寝用枕１を示す斜視図である。図２は、横向き寝用枕１を図１とは異なる向きから見た斜視図である。図３は、横向き寝用枕１を図１及び図２とは異なる向きから見た斜視図である。横向き寝用枕１は、例えば、使用者Ｍ（図６（ａ）参照）に横向き寝を強制する（仰向けを抑制する）枕であって、使用者Ｍに横向き寝をさせることによって使用者Ｍの無呼吸を抑制するものである。
【００１７】
特に近年、無呼吸症候群が問題視されており、無呼吸症候群が発生すると例えば睡眠不足状態となり、起きているときにも倦怠感があったり集中力が続かなかったり種々の問題を生じさせて日常生活にも支障が生じうる。そこで、例えば、無呼吸症候群の患者等に横向き寝をさせると無呼吸が治まることが知られており、本実施形態に係る横向き寝用枕１は横向き寝を強制して無呼吸を低減させる枕である。
【００１８】
図１〜図３に示されるように、本実施形態に係る横向き寝用枕１は、例えば、Ｌ字状に形成されており、第１方向Ｄ１に延びる第１部分２と、第１部分２の第１方向Ｄ１の端部から第２方向Ｄ２に延びる第２部分３とを備える。例えば、第１方向Ｄ１は、敷き寝具に横たわる使用者Ｍの身体の幅方向を示しており、第２方向Ｄ２は使用者Ｍの身体の長手方向を示している。一例として、第１方向Ｄ１及び第２方向Ｄ２は互いに直交している。
【００１９】
第１部分２は、横向き寝用枕１の表面にメッシュ生地１ａを備えており、メッシュ生地１ａが表面に位置することにより、横向き寝用枕１に身体が長時間密着しても暑さを感じさせにくくすることができる。すなわち、メッシュ生地１ａにより横向き寝用枕１の通気性及び放熱性が高められており、これにより横向き寝用枕１に接触する使用者Ｍに冷涼感を与えることができる。第１部分２は、横向き寝用枕１の裏面にメッシュ生地１ａを備えていてもよいし、横向き寝用枕１の裏面はメッシュ生地１ａとは異なる生地であってもよい。第２部分３も、メッシュ生地１ａと同様のメッシュ生地１ｂを備えている。
【００２０】
例えば、第１部分２は使用者Ｍの頭部Ｍ１及び頸部Ｍ２が載せられる部位であり、第２部分３は使用者Ｍの背中Ｍ３が当てられる部位である（図６（ａ）参照）。第２部分３は、使用者Ｍの背中Ｍ３に沿うように配置され、第２方向Ｄ２に長く延びることによって背中Ｍ３をしっかりと支えることが可能である。第１部分２及び第２部分３は、例えば、共に直線状に延びている。
【００２１】
第１部分の第１方向Ｄ１の長さは、例えば、２０ｃｍ以上且つ５０ｃｍ以下であり、３０ｃｍ以上且つ４０ｃｍ以下であってもよく、適宜変更可能である。第１部分２は、第１方向Ｄ１の端部に位置する第１端部２ａと、第１端部２ａから横向き寝用枕１のＬ字の外側に延びる第１外側辺部２ｂと、第１端部２ａから当該Ｌ字の内側に延びる第１内側辺部２ｃとを有する。
【００２２】
第１端部２ａは、横向き寝用枕１の第１方向Ｄ１の端部を構成している。第１端部２ａは、例えば、メッシュ生地１ａとは異なる生地によって形成されていてもよい。一例として、第１端部２ａの生地はメッシュ生地１ａよりも伸びにくくて硬い生地である。第１端部２ａは、仕切部７を介して第２方向Ｄ２に沿った２つの箇所に分断されていてもよい。第１外側辺部２ｂは第１端部２ａの一端から第１方向Ｄ１に沿って湾曲して延びており、第１内側辺部２ｃは第１端部２ａの他端から第１方向Ｄ１に沿って湾曲して延びている。第１外側辺部２ｂ及び第１内側辺部２ｃは、例えば、互いに平行に延びていてもよい。
【００２３】
横向き寝用枕１は、第１部分２の内部の第１内容物の量を調整するためのファスナー４を備える。第１内容物は、第１部分２の内部空間に収容される内容物を示しており、例えば、ポリエチレン製のストロー状のパイプ材である。しかしながら、第１内容物の種類は特に限定されない。第１内容物は、例えば綿等であってもよく適宜変更可能である。ファスナー４は、横向き寝用枕１のＬ字の外側に設けられている。これにより、ファスナー４の位置を使用者Ｍの身体の位置から離すことができるので、ファスナー４が使用者Ｍの身体に当たって使用者Ｍの寝心地を損なう可能性を低減させることができる。ファスナー４を開けた状態で第１部分２に収容する第１内容物の量を調整することが可能である。
【００２４】
第１部分２は、横向き寝用枕１のＬ字の外側に位置する外側部分２Ａと、当該Ｌ字の内側に位置する内側部分２Ｂとを有する。外側部分２Ａは使用者Ｍの頭部Ｍ１（特に側頭部）が載せられる部位であり、内側部分２Ｂは使用者Ｍの頸部Ｍ２（首）が載せられる部位である。外側部分２Ａ及び内側部分２Ｂは、第１端部２ａから第１方向Ｄ１に延びる仕切部７によって互いに仕切られている。
【００２５】
このように、外側部分２Ａ及び内側部分２Ｂが互いに仕切られていることにより、外側部分２Ａの内部の第１内容物の量、及び内側部分２Ｂの内部の第１内容物の量、をそれぞれ個別に調整することが可能となる。よって、使用者Ｍの好み、又は使用者Ｍの状況に応じて頭部Ｍ１が載せられる外側部分２Ａの高さ、及び頸部Ｍ２が載せられる内側部分２Ｂの高さを個別に調整することができる。
【００２６】
仕切部７は、第１端部２ａから第１部分２の途中部分まで延びている。すなわち、仕切部７は、部分的に第１部分２を仕切っており、完全に第１部分２を仕切ってはいない。これにより、外側部分２Ａに収容される第１内容物の量、及び内側部分２Ｂに収容される第１内容物の量を調整するために開閉されるファスナー４の数を１つとすることができる。その結果、横向き寝用枕１のコストの低減に寄与する。
【００２７】
第１部分２と第２部分３との間には、仕切部６が設けられている。仕切部６は、第１方向Ｄ１及び第２方向Ｄ２の双方に交差する方向に延びており、第１方向Ｄ１及び第２方向Ｄ２の双方に対して斜めに延びている。仕切部６は、例えば、横向き寝用枕１のＬ字の内側の角部から当該Ｌ字の外側の角部まで延びている。すなわち、仕切部６は、第１外側辺部２ｂと第２部分３との境界から第１内側辺部２ｃと第２部分３との境界まで延びている。更に換言すれば、仕切部６は、横向き寝用枕１のＬ字の内側の角部から使用者Ｍの頭部Ｍ１側に斜めに延びている。仕切部６は、第１部分２及び第２部分３を完全に仕切っており、第１部分２の内部に収容された第１内容物は第２部分３に移動できない構成とされている。
【００２８】
第２部分３は、仕切部６から第２方向Ｄ２に延び出しており、例えば、直線状に延び出している。第２部分３の第２方向Ｄ２の長さは、第１部分２の第１方向Ｄ１の長さよりも長く、例えば、４０ｃｍ以上且つ１３０ｃｍ以下、又は５０ｃｍ以上且つ７０ｃｍ以下であってもよい。第２部分３は、第１部分２よりも重く且つ第１部分２よりも硬い。更に、第２部分３の体積が第１部分２の体積より大きくてもよい。
【００２９】
第２部分３は、第２方向Ｄ２の端部に位置する第２端部３ａと、第２端部３ａから横向き寝用枕１のＬ字の外側において第２方向Ｄ２に延びる第２外側辺部３ｂと、第２端部３ａから横向き寝用枕１のＬ字の内側において第２方向Ｄ２に延びる第２内側辺部３ｃとを有する。第２端部３ａは、横向き寝用枕１の第２方向Ｄ２の端部を構成している。第２外側辺部３ｂは第２端部３ａの一端から第２方向Ｄ２に延びており、第２内側辺部３ｃは第２端部３ａの他端から第２方向Ｄ２に延びている。
【００３０】
第２外側辺部３ｂ及び第２内側辺部３ｃは、例えば、互いに平行に延びていてもよい。第２外側辺部３ｂ及び第２内側辺部３ｃは、共に第２端部３ａから仕切部６に向かって延びている。第２外側辺部３ｂと第１部分２との境界（第２外側辺部３ｂが仕切部６と接する部分）は、第２内側辺部３ｃと第１部分２との境界（第２内側辺部３ｃが仕切部６と接する部分）よりも、第２端部３ａから離れた箇所に位置する。
【００３１】
第２外側辺部３ｂは、第２部分３の内部の第２内容物１１（図４（ａ）参照）の量を調整するためのファスナー５を備える。第２内容物１１は、第２部分３の内部空間に収容される内容物を示しており、例えば図４（ａ）に示されるように、直方体状のヒノキ製の粒状体である。第２部分３には、複数の第２内容物１１が充填されていてもよく、この場合、第２部分３の重量及び硬度を高めることが可能となる。一例として、第２内容物１１は、６つの平面部１１ａと、各平面部１１ａの四隅のそれぞれに設けられる面取り部１１ｂとを備える。すなわち、第２内容物１１は、角部が丸められた立方体状のヒノキ製の粒状体であってもよい。また、第２内容物１１は、アズキ製の粒状体であってもよく、第２内容物１１の材料、形状及び大きさは適宜変更可能である。
【００３２】
図４（ｂ）に示されるように、第２部分３には、第２内容物１１に代えて、又は第２内容物１１と共に第２内容物１２が充填されてもよい。第２内容物１２は、樹脂製であり、一例としてポリエチレン製である。第２内容物１２は、中空の球体の一部が切り欠かれた形状を成している。すなわち、第２内容物１２は、球状の外面１２ａと、外面１２ａに形成された円形状の開口１２ｂとを有する。この形状によって第２内容物１２の硬度が高められている。
【００３３】
例えば図２及び図５に示されるように、ファスナー５は、第２部分３の第２外側辺部３ｂに設けられている。このようにファスナー５が横向き寝用枕１のＬ字の外側に設けられることにより、前述と同様、ファスナー５の位置を使用者Ｍの位置から離すことができるので、ファスナー５が使用者Ｍの身体に当たって使用者Ｍの寝心地を損なう可能性を低減させることができる。ファスナー５を開けた状態で第２部分３に収容する第２内容物１１又は第２内容物１２の量を調整することが可能である。
【００３４】
図５は、ファスナー５を開けて第２部分３（メッシュ生地１ｂ）の内部に位置する内袋１３を第２部分３から突出させた状態を示す図である。内袋１３は、ファスナー５が閉まっている状態では第２部分３の内部に丸められた状態で収容されている。内袋１３は、ファスナー５が開放された状態で第２部分３の内部から引っ張り出されることにより、第２部分３から突出した状態となり、この状態で内袋１３の内部に第２内容物１１，１２を出し入れすることが可能である。内袋１３の開口１４は、第２部分３の内部空間に対する第２内容物１１，１２の出入口である。なお、第１部分２に設けられたファスナー４の内部に内袋１３が設けられていてもよく、この場合、上記同様に第１内容物の量を調整可能である。
【００３５】
次に、第１実施形態に係る横向き寝用枕１から得られる作用効果について詳細に説明する。図６（ａ）に示されるように、横向き寝用枕１では、第１方向Ｄ１に延びる第１部分２が使用者Ｍの頭部Ｍ１及び頸部Ｍ２を支え、第１方向Ｄ１に交差する第２方向Ｄ２に延びる第２部分３が使用者Ｍの背中Ｍ３を支える。従って、頭部Ｍ１及び頸部Ｍ２を支持する第１部分２とは異なる方向に延びる第２部分３が使用者Ｍの背中Ｍ３を支える。従って、頭部Ｍ１及び頸部Ｍ２を支持する第１部分２とは異なる方向に延びる第２部分３で背中Ｍ３を支持するため、横向き寝をした使用者Ｍの背中Ｍ３を第２部分３でしっかりと支えることができる。
【００３６】
また、第２方向Ｄ２に延びる第２部分３の長さが第１方向Ｄ１に延びる第１部分２の長さよりも長いことにより、第２部分３の体積を大きくすることができるため、第２部分３による背中Ｍ３の支持をよりしっかりと行って仰向けになることを抑制することができる。従って、横向き寝をより確実に継続させることができる。更に、第２部分３の硬さは第１部分２の硬さよりも硬く、且つ、第２部分３の重量は第１部分２の重量よりも大きい。
【００３７】
従って、比較的軽くて柔らかい第１部分２で頭部Ｍ１及び頸部Ｍ２を支えることによって使用者Ｍの寝心地を良好にすることができると共に、重くて硬い第２部分３で背中を支えることにより、仰向けになることをより確実に抑制することができる。従って、寝心地を良好にすることができると共に横向き寝を継続させることができるので、無呼吸を抑制することができる。
【００３８】
第１部分２及び第２部分３は、Ｌ字状とされており、仕切部６は、Ｌ字の内側の角部からＬ字の外側の角部まで延びていてもよい。この場合、第２部分３と第１部分２の境目である仕切部６が第１方向Ｄ１及び第２方向Ｄ２の双方に対して斜めに延びるので、使用者Ｍの背中Ｍ３を支える第２部分３の領域を拡大することができる。従って、仰向けをより確実に抑制して横向き寝を継続させることができるので、無呼吸をより確実に抑えることができる。
【００３９】
第１部分２の内部空間には第１内容物が出し入れ可能とされており、第２部分３の内部空間には第２内容物１１，１２が出し入れ可能とされており、第２内容物１１，１２の硬度が第１内容物の硬度より高くてもよい。この場合、第２内容物１１，１２の硬度が第１内容物の硬度よりも高いことにより、第２内容物１１，１２の量を調整して第２部分３の硬さ及び重量を変更することができる。
【００４０】
従って、第２部分３が硬すぎる又は重すぎると感じた場合には第２内容物１１，１２の量を減らして第２部分３を柔らかく且つ軽くすることができると共に、第２部分３が柔らかすぎる又は軽すぎると感じた場合には第２内容物１１，１２の量を増やして第２部分３を更に硬く且つ重くすることができる。また、第１内容物が第１部分２に出し入れ可能とされていることにより、第１部分２の感触を調整することができる。従って、使用者Ｍの好み、又は使用者Ｍの状況に応じた横向き寝用枕１を提供することができる。
【００４１】
第２部分３に収容される第２内容物は、ヒノキ製の粒状体である第２内容物１１、アズキ製の粒状体である第２内容物、又はポリエチレン製の粒状体である第２内容物１２であってもよい。ヒノキ及びアズキは、他の内容物と比較して重量が大きく且つ硬度及び密度が高い。従って、第２内容物としてヒノキ又はアズキを第２部分に収容することにより、少量の第２内容物で硬くて重い第２部分３とすることができる。その結果、第２部分３の硬さの調整を更に容易に行うことができる。また、ポリエチレン製の粒状体である第２内容物１２は、汎用性が高く入手しやすいという利点がある。
【００４２】
横向き寝用枕１は、ファスナー５（ファスナー４）の内部に位置すると共に第２部分３（第１部分２）から突出する内袋１３を備えていてもよい。この場合、内袋１３を外方に突出させた状態で第２内容物１１，１２（第１内容物）の出し入れを行うことができるので、内容物を出し入れするときに内容物をこぼれにくくすることができる。従って、内容物の出し入れを容易且つスムーズに行うことができる。
【００４３】
横向き寝用枕１では、前述したように、第１部分２に使用者Ｍの頭部Ｍ１及び頸部Ｍ２が載せられて第２部分３に使用者Ｍの背中Ｍ３が当てられることによって、使用される。しかしながら、例えば図６（ｂ）に示されるように、第１部分２に使用者Ｍの頭部Ｍ１及び頸部Ｍ２が載せられると共に、第２方向Ｄ２に延びる第２部分３が抱きかかえられてもよい。
【００４４】
すなわち、使用者Ｍの腹部が第２部分３に対向するように横向き寝用枕１が抱きかかえられてもよい。この場合、横向き寝用枕１を抱き枕として使用することが可能になると共に、使用者Ｍが横向き寝をした状態で第２部分３が抱きかかえられることにより使用者Ｍの横向き寝を継続させることができる。従って、前述と同様、使用者Ｍの無呼吸を抑制することができる。
【００４５】
（第２実施形態）
次に、図７を参照しながら第２実施形態に係る横向き寝用枕２１について説明する。第２実施形態に係る横向き寝用枕２１は、第１部分２２の構成が第１実施形態とは異なっている。以降の説明では、第１実施形態と重複する説明を適宜省略する。横向き寝用枕２１は、例えば、病院において無呼吸症候群の患者が用いる横向き寝用枕であり、横向き寝用枕２１の表面のメッシュ生地１ａ，１ｂは、比較的伸びにくい生地であってもよい。また、第２部分３にヒノキ製の第２内容物１１が充填されていてもよい。前述したように、第２方向Ｄ２に長く延びる第２部分３に硬くて重いヒノキ製の第２内容物１１が充填されていることにより、使用者Ｍの横向き寝をより確実に継続させることができる。
【００４６】
第１部分２２は横向き寝用枕２１のＬ字の外側に位置する外側部分２２Ａと当該Ｌ字の内側に位置する内側部分２２Ｂとを備え、外側部分２２Ａと内側部分２２Ｂとは仕切部７を介して完全に仕切られている。仕切部７は、第１部分２２の第１端部２ａから仕切部６まで延びている。外側部分２２Ａの内部空間、及び内側部分２２Ｂの内部空間には、例えば、共に、前述した第１内容物が収容されている。第１部分２２の第１外側辺部２ｂにはファスナー４が設けられており、第１部分２２の第１内側辺部２ｃにはファスナー２４が設けられている。ファスナー４を開閉させることによって外側部分２２Ａの第１内容物の量を調整可能であり、ファスナー２４を開閉させることによって内側部分２２Ｂの第１内容物の量を調整可能である。
【００４７】
以上、第２実施形態に係る横向き寝用枕２１では、第２方向Ｄ２に延びる第２部分３の長さが第１方向Ｄ１に延びる第１部分２２の長さよりも長いことにより、第２部分３の体積を大きくすることができるため、第２部分３による背中Ｍ３の支持をよりしっかりと行って仰向けになることを抑制することができる。更に、比較的軽くて柔らかい第１部分２２で頭部Ｍ１及び頸部Ｍ２を支えることによって使用者Ｍの寝心地を良好にすることができると共に、重くて硬い第２部分３で背中を支えることにより、仰向けになることをより確実に抑制することができる。従って、寝心地を良好にすることができると共に横向き寝を継続させることができるので、前述した第１実施形態と同様、無呼吸を抑制することができる。
【００４８】
第２実施形態に係る横向き寝用枕２１では、第１部分２２の外側部分２２Ａと内側部分２２Ｂとが仕切部７を介して完全に仕切られている。従って、外側部分２２Ａの第１内容物の量、及び内側部分２２Ｂの第１内容物の量のそれぞれを個別に調整することができる。よって、頭部Ｍ１が載せられる外側部分２２Ａの第１内容物の量、及び頸部Ｍ２が載せられる内側部分２２Ｂの第１内容物の量、を個別に調整できるので、外側部分２２Ａ及び内側部分２２Ｂの高さ及び硬さを使用者Ｍの好み、及び使用者Ｍの状態に応じて適切に調整することができる。
【００４９】
以上、本開示に係る横向き寝用枕の実施形態について説明した。しかしながら、本発明に係る横向き寝用枕は、前述した各実施形態の内容に限定されない。すなわち、横向き寝用枕の各部の形状、大きさ及び材料は適宜変更可能である。例えば、前述の実施形態では、Ｌ字状の横向き寝用枕１，２１について説明したが、横向き寝用枕の形状は、例えば、Ｔ字状等であってもよく、適宜変更可能である。
【００５０】
前述の実施形態では、第１外側辺部２ｂにファスナー４が設けられ、第２外側辺部３ｂにファスナー５が設けられる例について説明した。しかしながら、ファスナーが設けられる位置は適宜変更可能である。このように、横向き寝用枕の各部の配置位置及び配置態様は適宜変更可能である。
【００５１】
前述の実施形態では、ファスナー５（ファスナー４）の内部に位置すると共に第２部分３（第１部分２）から突出する内袋１３について説明した。しかしながら、内容物を出し入れする出入口は、内袋１３以外の態様であってもよい。すなわち、内袋の形状、大きさ、数、材料及び配置態様は上記の内袋１３の態様に限定されず適宜変更可能である。また、ファスナー５（ファスナー４）を省略してもよく、例えば、内袋に対して内容物の出し入れが完了した後に内袋を丸めて入れ込んで、その後内袋を収容した部分が縫い込まれてもよい。
【符号の説明】
【００５２】
１，２１…横向き寝用枕、１ａ，１ｂ…メッシュ生地、２，２２…第１部分、２Ａ，２２Ａ…外側部分、２Ｂ，２２Ｂ…内側部分、２ａ…第１端部、２ｂ…第１外側辺部、２ｃ…第１内側辺部、３…第２部分、３ａ…第２端部、３ｂ…第２外側辺部、３ｃ…第２内側辺部、４，５，２４…ファスナー、６，７…仕切部、１１，１２…第２内容物、１１ａ…平面部、１１ｂ…面取り部、１２ａ…外面、１２ｂ…開口、１３…内袋、１４…開口、Ｄ１…第１方向、Ｄ２…第２方向、Ｍ…使用者、Ｍ１…頭部、Ｍ２…頸部、Ｍ３…背中。
【図１】
2020054574.tif 000003
【図２】
2020054574.tif 000004
【図３】
2020054574.tif 000005
【図４】
2020054574.tif 000006
【図５】
2020054574.tif 000007
【図６】
2020054574.tif 000008
【図７】
2020054574.tif 000009